(57)【要約】  メインチューナー１１及びサブチューナー１２と、制御部１３とを備える受信装置を用いる。メインチューナー１１及びサブチューナー１２は、それぞれ、選局されたチャンネルの周波数に応じて局部発振信号を生成する局部発振器２５及び４５を備え、局部発振信号を用いて選局されたチャンネルの信号を抽出する。制御部１３は、メインチューナー１１で選局されたチャンネルの周波数と、サブチューナー１２で選局されたチャンネルの周波数とが同一かどうか判定し、同一と判定した場合は、サブチューナー１２の局部発振器４５による局部発振信号の生成を停止させ、サブチューナー１２に、メインチューナーの局部発振器２５が生成した局部発振信号を用いた、選局されたチャンネルの信号の抽出を行わせる。
2007125775.tif 000002
【特許請求の範囲】
【請求項１】
放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする受信装置。
【請求項２】
前記第１のチューナーが、出力端子を備え、且つ、前記出力端子を介して、前記第２のチューナーに向けて、前記第１のチューナーの局部発振器が生成した前記局部発振信号を出力し、
前記第２のチューナーが、前記第１のチューナーが前記出力端子を介して出力した前記局部発振信号を入力するための入力端子を備えている請求項１に記載の受信装置。
【請求項３】
当該受信装置が、更に、電磁波遮蔽機能を有する一つのケースを備え、
前記第１のチューナー及び前記第２のチューナーが、共に、前記ケースに収納されている請求項１に記載の受信装置。
【請求項４】
当該受信装置がＩＣチップを備え、
前記第１のチューナー及び前記第２のチューナーが、電気回路によって形成されており、
前記ＩＣチップが、前記第１のチューナーを形成している電気回路の一部又は全部と、前記第２のチューナーを形成している電気回路の一部又は全部とを含んでいる請求項１に記載の受信装置。
【請求項５】
前記第１のチューナーが、前記第１のチューナーの局部発振器が生成した局部発振信号を分周して、分周信号を生成する分周器を備え、且つ、前記分周信号を前記第２のチューナーに向けて出力し、
前記第２のチューナーが、前記分周信号を逓倍して、逓倍信号を生成する逓倍器を備え、
前記制御部が、同一と判定した場合に、前記第２のチューナーに、前記逓倍信号を用いた、前記選局されたチャンネルの信号の抽出を行わせる請求項２に記載の受信装置。
【請求項６】
前記第１のチューナーが、前記第１のチューナーの局部発振器が生成した局部発振信号を減衰させて、減衰信号を生成する減衰器を備え、且つ、前記減衰信号を前記第２のチューナーに向けて出力し、
前記第２のチューナーが、前記減衰信号を増幅して、増幅信号を生成する増幅器を備え、
前記制御部が、同一と判定した場合に、前記第２のチューナーに、前記増幅信号を用いた、前記選局されたチャンネルの信号の抽出を行わせる請求項２に記載の受信装置。
【請求項７】
受信装置を備える電子機器であって、
前記受信装置は、放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする電子機器。
【請求項８】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、
（ａ）前記第１のチューナーで選局されたチャンネルの周波数と、前記第２のチューナーで選局されたチャンネルの周波数とが同一かどうか判定する工程と、
（ｂ）前記（ａ）の工程で同一と判定される場合に、前記第２のチューナーの局部発振器による前記局部発振信号の生成を停止させる工程と、
（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせる工程とを有することを特徴とする受信方法。
【請求項９】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信をコンピュータによって実行するためのプログラムであって、
（ａ）前記第１のチューナーで選局されたチャンネルの周波数と、前記第２のチューナーで選局されたチャンネルの周波数とが同一かどうか判定するステップと、
（ｂ）前記（ａ）の工程で同一と判定される場合に、前記第２のチューナーの局部発振器による前記局部発振信号の生成を停止させるステップと、
（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせるステップとをコンピュータに実行させることを特徴とするプログラム。
【発明の詳細な説明】
【技術分野】
【０００１】
本発明は、二基のチューナーを備える受信装置、特には、ＣＡＴＶ放送や地上デジタルＴＶ放送等のテレビジョン放送を受信するためのチューナーを二基備えた、セットトップボックスやテレビなどに搭載される受信装置に関する。
【背景技術】
【０００２】
近年、テレビにおいては、二つの番組を同時に一画面に表示できる二画面表示や、二つの番組を同時に録画できる二番組録画が可能であることが求められている。このような求めに対応するため、テレビや、それに接続されるＣＡＴＶ用のセットトップボックス、レコーダには、二基のチューナー（デュアルチューナー）が備えられることがある。【０００３】
ところで、デュアルチューナーを搭載した受信装置では、通常使用されるチューナー（メインチューナー）で選局されたチャンネルと、補助的に使用されるチューナー（サブチューナー）で選局されたチャンネルとが一致する場合がある。【０００４】
例えば、ニ画面表示の際に、ユーザーが、一方の画面にメインチューナーで選局されたチャンネルの番組を表示させ、他方の画面に、サブチューナーで選択されたチャンネルの番組を、次に次に切り替えながら表示させる場合である。この場合は、一時的に、両者で選局されているチャンネルが一致するときがある。また、メインチューナーで選択されている番組が記録装置で録画されているときに、ユーザーが、録画されている番組のチャンネルと同一のチャンネルをサブチューナーで選局することによっても、両者のチャンネルは一致する。【０００５】
しかし、メインチューナーとサブチューナーとで同一のチャンネルが選択されている場合は、それぞれの局部発振信号の周波数も同一となるはずであるが、実際には、それぞれの局部発信器間の誤差により、同一とならずに微妙にずれてしまう。このため、両者の局部発振器が互いにスペクトラム干渉を起こし、局部発振信号の位相雑音劣化が発生してしまう。この結果、表示画面の画質が低下したり、表示画面がブラックアウトしたりすることがある。【０００６】
このような問題を解決するため、従来から、メインチューナーが動作しているときに、サブチューナーではメインチューナーに悪影響を与える周波数が設定されないようにする受信装置が提案されている（例えば特許文献１参照。）。【０００７】
図８は、従来のデュアルチューナーを備えた受信装置の構成を示す構成図である。図８に示すように、受信装置は、メインチューナー１１と、サブチューナー１２と、これらのチューナーを制御するメインコントロール部６０とを備えている。メインチューナー１１は、アンテナ６４で受信された放送電波が入力される入力端子２１を有している。同様に、サブチューナー１２も、アンテナ６４で受信された放送電波が入力される入力端子４１を有している。【０００８】
メインコントロール部６０は、メインチューナー１１との間で信号の送受信を行う送受信回路６１と、サブチューナー１２との間で信号の送受信を行う送受信回路６２と、制御部１３と、メモリ６３とを備えている。制御部１３は、例えば、マイコンによって構成されている。メモリ６３には、メインチューナー１１が選局するチャンネル毎に、サブチューナー１２での選局が禁止されるチャンネルが記憶されている。なお、受信装置がテレビジョン放送の受信装置である場合は、サブチューナーでの選局が禁止されるチャンネルは、メインチューナー１１で選局されているチャンネルと同一のチャンネルである。【０００９】
制御部１３は、先ず、メインチューナー１１が動作しているか否かを判断し、動作している場合は、メモリ６３にアクセスし、サブチューナー１２で選局されるとメインチューナー１１の受信動作に悪影響を与える周波数の読み出しを行う。次いで、制御部１３は、サブチューナー１２に対して、メインチューナー１１の動作に悪影響を与える周波数の設定（選局）が行われた場合は、設定を禁止する。【００１０】
このように特許文献１の受信装置は、メインチューナー１１が動作している時にサブチューナー１２で選択できるチャンネルを制約することによって、表示画面の画質の低下やブラックアウトを回避している。
【特許文献１】特開平１０−９３５１３号公報（第３−４頁、第１図）
【発明の開示】
【発明が解決しようとする課題】
【００１１】
しかしながら、上記の従来の受信装置によれば、特に受信装置がテレビジョン放送の受信装置である場合に、メインチューナーとサブチューナーとを同時に動作させ、両者によって同一のチャンネルを選局できない。よって、ニ画面表示を行う場合に、１画面に同時に２つの同一のチャンネルの番組を表示できないという制約が課せられてしまう。【００１２】
また、視聴用としてメインチューナーを割り当て、録画用としてサブチューナーを割り当てて使用する場合は、ユーザーが視聴しているチャンネルと同じチャンネルを録画用チャンネルとして選択できないという制約も課せられてしまう。【００１３】
一方、同一チャンネル選択時の各チューナーの局部発信器におけるスペクトラム干渉は、受信装置内でメインチューナーとサブチューナーとの距離を大きくしたり、両者を別々に金属によってシールドしたりすることによっても解消できる。このような手段を採る場合は、サブチューナーにおける選局を制限する必要もなく、メインチューナーとサブチューナーとで同一のチャンネルを選局することができる。しかしながら、このような手段を採る場合は、受信装置の大型化や製造コストの上昇といった別の問題が発生してしまう。【００１４】
本発明の目的は、上記問題を解消し、装置の大型化及び製造コストの上昇を伴うことなく、二つのチューナーによる同一チャンネルの選局を可能とする受信装置、それを搭載した電子機器及び受信方法を提供することにある。
【課題を解決するための手段】
【００１５】
上記目的を達成するために本発明の受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。【００１６】
また、上記目的を達成するために本発明の電子機器は、受信装置を備える電子機器であって、前記受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。【００１７】
また、上記目的を達成するために本発明の受信方法は、選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、（ａ）前記第１のチューナーで選局されたチャンネルの周波数と、前記第２のチューナーで選局されたチャンネルの周波数とが同一かどうか判定する工程と、（ｂ）前記（ａ）の工程で同一と判定される場合に、前記第２のチューナーの局部発振器による前記局部発振信号の生成を停止させる工程と、（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせる工程とを有することを特徴とする。
【発明の効果】
【００１８】
以上のように、本発明では、第１のチューナーと第２のチューナーとで同一周波数のチャンネルが選局される場合は、第２のチューナーの局部発振器の発振が停止される。そして、第２のチューナーでは、第１のチューナーから入力される局部発振信号によって選局が行われる。【００１９】
このため、第１のチューナーの局部発振器と第２のチューナーの局部発振器とが互いにスペクトラム干渉を起こすことはなく、局部発振信号の位相雑音劣化の発生も抑制される。よって、各チューナーにおいて、同一周波数のチャンネルを選局することができる。また、このとき、チューナー同士の距離を大きくしたり、チューナーそれぞれのシールド特性を高めたりする必要がない。よって、本発明によれば、受信装置の小型化を実現することができ、更に製造コストの上昇も抑制することができる。
【図面の簡単な説明】
【００２０】
【図１】図１は、本発明の実施の形態１における受信装置の概略構成を示すブロック図である。
【図２】図２は、本発明の実施の形態１における受信方法の流れを示すフロー図である。
【図３】図３は、本発明の実施の形態１における受信装置を搭載したデジタルテレビの概略構成を示す構成図である。
【図４】図４は、本実施の形態１における受信装置の一例を示す外観図である。
【図５】図５は、本実施の形態１における受信装置の他の一例を示す外観図である。
【図６】図６は、本発明の実施の形態２における受信装置の概略構成を示すブロック図である。
【図７】図７は、本発明の実施の形態３における受信装置の概略構成を示すブロック図である。
【図８】図８は、従来のデュアルチューナーを備えた受信装置の構成を示す構成図である。
【発明を実施するための最良の形態】
【００２１】
本発明の受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。【００２２】
上記本発明の受信装置は、前記第１のチューナーが、出力端子を備え、且つ、前記出力端子を介して、前記第２のチューナーに向けて、前記第１のチューナーの局部発振器が生成した前記局部発振信号を出力し、前記第２のチューナーが、前記第１のチューナーが前記出力端子を介して出力した前記局部発振信号を入力するための入力端子を備えている態様であるのが好ましい。【００２３】
上記本発明の受信装置は、当該受信装置が、更に、電磁波遮蔽機能を有する一つのケースを備え、前記第１のチューナー及び前記第２のチューナーが、共に、前記ケースに収納されている態様であるのが好ましい。【００２４】
上記本発明の受信装置は、当該受信装置がＩＣチップを備え、前記第１のチューナー及び前記第２のチューナーが、電気回路によって形成されており、前記ＩＣチップが、前記第１のチューナーを形成している電気回路の一部又は全部と、前記第２のチューナーを形成している電気回路の一部又は全部とを含んでいる態様であるのが好ましい。【００２５】
上記本発明の受信装置は、前記第１のチューナーが、前記第１のチューナーの局部発振器が生成した局部発振信号を分周して、分周信号を生成する分周器を備え、且つ、前記分周信号を前記第２のチューナーに向けて出力し、前記第２のチューナーが、前記分周信号を逓倍して、逓倍信号を生成する逓倍器を備え、前記制御部が、同一と判定した場合に、前記第２のチューナーに、前記逓倍信号を用いた、前記選局されたチャンネルの信号の抽出を行わせる態様であるのが好ましい。この態様によれば、受信装置が発生させる不要輻射が軽減され、受信装置をＩＣチップ化する際において、局部発振信号の周波数を、ＩＣチップ内部の他の回路信号に干渉し難い周波数に変換できる。【００２６】
また、上記本発明の受信装置は、前記第１のチューナーが、前記第１のチューナーの局部発振器が生成した局部発振信号を減衰させて、減衰信号を生成する減衰器を備え、且つ、前記減衰信号を前記第２のチューナーに向けて出力し、前記第２のチューナーが、前記減衰信号を増幅して、増幅信号を生成する増幅器を備え、前記制御部が、同一と判定した場合に、前記第２のチューナーに、前記増幅信号を用いた、前記選局されたチャンネルの信号の抽出を行わせる態様であるのも好ましい。この態様の場合は、受信装置が発生させる不要輻射が軽減され、受信装置をＩＣチップ化する際において、局部発振信号を、ＩＣチップ内部の他の回路信号に干渉し難い信号に変換できる。【００２７】
また、本発明の電子機器は、受信装置を備える電子機器であって、前記受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。【００２８】
また、本発明の受信方法は、選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、（ａ）前記第１のチューナーで選局されたチャンネルの周波数と、前記第２のチューナーで選局されたチャンネルの周波数とが同一かどうか判定する工程と、（ｂ）前記（ａ）の工程で同一と判定される場合に、前記第２のチューナーの局部発振器による前記局部発振信号の生成を停止させる工程と、（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせる工程とを有することを特徴とする。【００２９】
また、本発明は、上記の本発明の受信方法を具現化するためのプログラムであっても良い。このプログラムをコンピュータにインストールし、これを実行すれば、本発明の受信方法が実行される。【００３０】
以上の特徴により、本発明によれば、装置の大型化及び製造コストの上昇を伴うことなく、二つのチューナーによる同一チャンネルの選局を可能にすることができる。【００３１】
（実施の形態１）
以下に、本発明の実施の形態１における受信装置、電子機器及び放送電波の受信方法について図１〜図５を用いて説明する。最初に、本実施の形態１における受信装置の構成について図１を用いて説明する。図１は、本発明の実施の形態１における受信装置の概略構成を示すブロック図である。【００３２】
本実施の形態１における受信装置は、デュアルチューナーを搭載したデジタルテレビジョン放送用の受信装置（デュアルチューナーシステム）である。また、本実施の形態１における受信装置は、スーパーヘテロダイン方式を採用している。【００３３】
図１に示すように、本実施の形態における受信装置は、大きく分けて、通常使用されるチューナー（メインチューナー）１１と、補助的に使用されるチューナー（サブチューナー）１２と、制御部１３とを備えている。制御部１３は、図８に示した従来例と同様に、例えば、マイコンによって構成されている。但し、図１に示す制御部１３は、後述するように機能の点で従来例と異なっている。【００３４】
メインチューナー１１は、入力端子２１と、ＡＧＣアンプ２２及び２８と、選局フィルタ２３と、混合器（ミキサ）２４と、局部発振器２５と、ＰＬＬ２６と、ＳＡＷフィルタ２７と、復調器２９と、局部発振器駆動部３０とを備えている。同様に、サブチューナー１２も、入力端子４１と、ＡＧＣアンプ４２及び４８と、選局フィルタ４３と、混合器（ミキサ）４４と、局部発振器４５と、ＰＬＬ４６と、ＳＡＷフィルタ４７と、復調器４９と、局部発振器駆動部５０とを備えている。【００３５】
入力端子２１及び４１は、共に、アンテナ（図１において図示せず）で受信された放送電波が入力されるアンテナ入力端子である。ＡＧＣアンプ２２及び４２は、それぞれ、放送電波によって搬送されてきた放送信号に対してゲイン調整を行う。選局フィルタ２３及び４３は、それぞれ、地上波デジタル放送、ＢＳデジタル放送、ＣＳ放送といった帯域が異なる種々の放送サービスの中から、選局されたチャンネルを含む放送サービスの帯域の放送信号を抽出する。【００３６】
局部発振器２５及び４５は、選局されたチャンネルの周波数に応じて局部発振信号を生成する。具体的には、局部発振器２５及び４５において、局部発振信号の周波数の設定は、対応するＰＬＬ（Phase Locked Loop）２６又は４６が、制御部１３の指示に基づいて行っている。制御部１３は、ユーザーが選局したチャンネルの周波数に合わせて、ＰＬＬを動作させる。また、局部発振器駆動部３０及び５０は、制御部１３の指示に応じて、対応する局部発振器に局部発振信号を生成させたり、局部発振信号の生成を停止させたりする。【００３７】
ミキサ２４及び４４は、放送信号と局部発振信号とを混合し、入力された放送信号をダウンコンバートする。ＳＡＷフィルタ２７及び４７は、対応するミキサによってダウンコンバートされた信号の中から、設定された周波数を持った中間周波信号（ＩＦ信号）を抽出する。この結果、選局されたチャンネルの信号が抽出されたことになる。【００３８】
ＡＧＣアンプ２８及び４８は、ＳＡＷフィルタ２７及び４７が抽出したＩＦ信号のゲイン調整を行う。復調器２９及び４９は、それぞれ、ゲイン調整されたＩＦ信号に対して復調を行い、トランスポートストリームを出力する。また、復調器２９は、それに入力されたＩＦ信号の振幅に基づいたフィードバック制御によって、ＡＧＣアンプ２２及び２８の出力を調整する。同様に、復調器４９も、それに入力されたＩＦ信号の振幅に基づいたフィードバック制御によって、ＡＧＣアンプ４２及び４８の出力を調整する。復調器２９で得られたトランスポート出力（Ａ）及び復調器４９で得られたトランスポート出力（Ｂ）は、それぞれ、受信装置がデジタルテレビの場合は、トランスポートストリーム処理部（図３参照）に入力される。【００３９】
以上の構成により、ユーザーがチューナー毎に選局したチャンネルは、制御部１３によって、メインチューナー１１及びサブチューナー１２に設定され、選局されたチャンネルの番組が受信される。メインチューナー１１とサブチューナー１２とは、同一の構成を備え、それぞれ独立して、チャンネルを選局でき、この点では、本実施の形態１における受信装置は、従来の受信装置と同様である。但し、本実施の形態１における受信装置は、以下の点で、従来の受信装置と異なっている。【００４０】
図１に示すように、メインチューナー１１は、その局部発振器２５が生成した局部発振信号をサブチューナー１２に入力することができる。また、サブチューナー１２は、メインチューナー１１の局部発振器２５が生成した局部発振信号を用いて、選局されたチャンネルの信号（ＩＦ信号）を抽出することができる。【００４１】
具体的には、本実施の形態１では、メインチューナー１１は、出力端子（局部発振信号出力端子）３１を備えている。メインチューナー１１は、局部発振信号出力端子３１を介して、第２のチューナー１２に向けて、局部発振器２５が生成した局部発振信号を出力することができる。サブチューナー１２は、メインチューナー１１から出力された局部発振信号を入力するための入力端子（局部発振信号入力端子）５１を備えている。【００４２】
サブチューナー１２は、切替手段５２も備えている。切替手段５２は、切替スイッチであり、端子Ｔ１〜Ｔ３を備え、端子Ｔ１とＴ３との間、又は端子Ｔ２とＴ３との間を切り替える。更に、端子Ｔ１は局部発振信号入力端子５１に接続され、端子Ｔ２は局部発振器４５に接続される。端子Ｔ３はミキサ４４に接続される。【００４３】
よって、サブチューナー１２では、切替手段５２における切り替えにより、局部発振器４５からの局部発振信号と、局部発振信号入力端子５１からの局部発振信号とのいずれかが選択されて、ミキサ４４に入力される。特に後者の場合は、メインチューナー１１の局部発振器２５が生成した局部発振信号を用いてＩＦ信号の抽出が行われることとなる。切替手段５２の切り替えは、制御部１３によって行われる。【００４４】
ここで、本実施の形態１における受信方法について図２を用いて説明する。本実施の形態１における受信方法は、デジタルテレビジョン放送の放送電波の受信に用いられる。図２は、本発明の実施の形態１における受信方法の流れを示すフロー図である。但し、本実施の形態１では、制御部１３を動作させることにより、本発明の実施の形態１における受信方法が実行される。よって、以下の説明については、図１を参照しながら制御部１３における処理についても説明する。【００４５】
最初に、図２に示すように、制御部１３は、ユーザーが入力したチャンネルについての情報（選局情報）を取得する（ステップＳ１）。具体的には、本実施の形態１における受信装置がテレビに搭載されている場合は、ユーザーは例えばリモートコントローラを用いて、希望するチャンネルの番号を入力する。制御部１３は、ユーザーのリモートコントローラから送信されてきた信号から、選択されたチャンネルを特定でき、結果、選局情報を得ることとなる。【００４６】
次に、制御部１３は、ユーザーによってメインチューナー１１で選局されたチャンネルと、サブチューナー１２で選局されたチャンネルとが同一かどうか、即ち、各チューナーの受信周波数が同一かどうか判定する（ステップＳ２）。同一と判定した場合は、制御部１３は、後述するステップＳ３〜Ｓ５を実行する。一方、同一でないと判定した場合は、制御部１３は、後述するステップＳ６〜Ｓ９を実行する。【００４７】
具体的には、ステップＳ２において、同一と判定した場合は、制御部１３は、サブチューナー１２の局部発振器駆動部５０に対して、局部発振器４５の動作の停止を指示する（ステップＳ３）。これにより、局部発振器４５の動作が停止し、局部発振信号の生成が停止される。【００４８】
次に、制御部１３は、切替手段（切替スイッチ）５２によって接続経路を切り替えるため、端子Ｔ１とＴ３とを接続する（ステップＳ４）。これにより、メインチューナー１１の局部発振器２５で生成された局部発振信号をサブチューナー１２のミキサ４４に入力するための経路が形成されることとなる。【００４９】
次に、制御部１３は、ステップＳ１で取得された選局情報に基づいて、選局されたチャンネルに対応するように、メインチューナー１１の局部発振器２５に局部発振信号を生成させる（ステップＳ５）。この局部発振信号は、メインチューナー１１のミキサ２４と、サブチューナー１２のミキサ４４との両方に送られ、これを用いて、メインチューナー１１とサブチューナー１２との両方で同一のチャンネルが受信される。【００５０】
一方、ステップＳ２において、同一でないと判定した場合は、制御部１３は、サブチューナー１２の局部発振器駆動部５０に対して、局部発振器４５の動作を指示する（ステップＳ６）。なお、局部発振器４５が既に動作している場合は、制御部１３は何ら指示を行わず、ステップＳ６が省略される態様であっても良い。【００５１】
次に、制御部１３は、切替手段（切替スイッチ）５２によって接続経路を切り替えるため、端子Ｔ２とＴ３とを接続する（ステップＳ７）。これにより、サブチューナー１２の局部発振器４５で生成された局部発振信号をサブチューナー１２のミキサ４４に入力するための経路が形成されることとなる。【００５２】
その後、制御部１３は、ステップＳ５同様に、ステップＳ１で取得された選局情報に基づいて、メインチューナー１１の選局チャンネルに対応するように、メインチューナー１１の局部発振器２５に局部発振信号を生成させる（ステップＳ８）。ステップＳ８で生成された局部発振信号は、ステップＳ５と異なり、メインチューナー１１のミキサ２４のみに入力される。【００５３】
更に、制御部１３は、ステップＳ１で取得された選局情報に基づき、サブチューナー１２の選局チャンネルに対応するように、サブチューナー１２の局部発振器４５に局部発振信号を生成させる（ステップＳ９）。ステップＳ９で生成された局部発振信号は、サブチューナー１２のミキサ４４に入力される。このようにステップＳ６〜Ｓ９が実行された場合は、メインチューナー１１とサブチューナー１２とは、それぞれ独立に動作し、別々のチャンネルが受信される。【００５４】
以上のように、本実施の形態１では、メインチューナー１１とサブチューナー１２とで同一周波数のチャンネルが選局される場合は、サブチューナー１２の局部発振器４５の発振が停止される。そして、サブチューナー１２では、メインチューナー１１から入力される局部発振信号によって選局が行われる。【００５５】
このため、メインチューナー１１の局部発振器２５とサブチューナー１２の局部発振器４５とが互いにスペクトラム干渉を起こすことはなく、局部発振信号の位相雑音劣化の発生も抑制される。本実施の形態１によれば、上記の問題を回避しつつ、各チューナーにおいて、同一周波数のチャンネルを選局することができる。また、このとき、チューナー同士の距離を大きくしたり、チューナーそれぞれのシールド特性を高めたりする必要がない。よって、受信装置の小型化の実現や、製造コストの上昇の抑制が図られることとなる。【００５６】
また、本実施の形態１は、ユーザーが、１画面表示のみを選択している場合や、視聴と録画とを同時に行っていない場合は、制御部１３が、サブチューナー１２の局部発振器４５による局部発振信号の生成を停止させる態様であっても良い。このような場合は、メインチューナー１１による選局だけで足り、サブチューナー１２による選局は不要だからである。【００５７】
この態様によれば、サブチューナー１２による不要な局部発振が行われず、不要な信号も発生しないため、不要な信号がメインチューナー１１の受信性能を低下させる可能性も排除でき、受信装置の信頼性を向上できる。更に、受信装置から放出される不要輻射も軽減できる。このため、受信装置をＩＣチップ化する場合に特に有効である。【００５８】
また、本実施の形態１における受信装置は、例えば、汎用のコンピュータに、メインチューナー１１及びサブチューナー１２を接続することによっても実現できる。この場合、コンピュータに、図２に示すステップＳ１〜Ｓ９を具現化させるプログラムをインストールし、このプログラムを実行すれば、本実施の形態１における受信装置を実現することができる。このとき、コンピュータのＣＰＵ（central  processing  unit）が、制御部１３として機能している。【００５９】
次に、本実施の形態１における受信装置を搭載した電子機器について説明する。本実施の形態１において、電子機器は、図１に示した受信装置を搭載できる機器であれば特に限定されるものではない。具体的には、テレビ、セットトップボックス（ＳＴＢ）、録画機、カーナビゲーションシステム、パーソナルコンピュータ等が挙げられる。【００６０】
以下に、本実施の形態１における受信装置が、テレビに搭載された例について図３を用いて説明する。図３は、本発明の実施の形態１における受信装置を搭載したデジタルテレビの概略構成を示す構成図である。【００６１】
図３に示すように、デジタルテレビ７０は、メインチューナー１１とサブチューナー１２とを備えている。また、デジタルテレビ７０の全体の制御を行っているＣＰＵ８２は、本実施の形態１における受信装置の制御部１３（図１及び図２参照）としても機能している。【００６２】
具体的には、フラッシュメモリ８３には、図２に示すステップＳ１〜Ｓ９を具現化させるプログラムが記録されている。ＣＰＵ８２は、リモコン８５を介してユーザーがニ画面表示を選択している時に、メインチューナー１１とサブチューナー１２とで同一のチャンネルを選択すると、上記のプログラムを読み出して実行する。この結果、図３に示すデジタルテレビ７０によれば、ニ画面表示において同一のチャンネルを選択することができる。なお、リモコン８５が出力した赤外線信号等の光信号は、リモコン処理部８４によってデジタル信号に変換され、その後、ＣＰＵ８２に入力される。【００６３】
また、デジタルテレビ７０は、トランスポートストリーム処理部７１及び７２と、ＭＰＥＧ  ＡＶデコード処理部７３及び７４と、ビデオ処理部７５と、グラフィック処理部７６と、オーディオ処理部７７とを備えている。更に、デジタルテレビ７０は、パネルコントローラ７８、表示パネル７９、オーディオＤ／Ａコンバータ８０、及びスピーカー８１も備えている。【００６４】
トランスポートストリーム処理部７１及び７２は、それぞれ、チューナー毎に設けられている。トランスポートストリーム処理部７１及び７２は、トランスポートストリーム出力（Ａ）及び（Ｂ）から、目的の映像信号及び音声信号の抽出を行っている。抽出された映像信号及び音声信号は、ＭＰＥＧ  ＡＶデコード処理部７３及び７４に入力される。【００６５】
ＭＰＥＧ  ＡＶデコード処理部７３及び７４も、それぞれチューナー毎に設けられている。トランスポートストリーム処理部７１及び７２が抽出した映像信号及び音声信号はＭＰＥＧエンコードされているため、ＭＰＥＧ  ＡＶデコード処理部７３及び７４は、これらの信号をＭＰＥＧデコードする。ＭＰＥＧデコードされた映像信号は、ビデオ処理部７５に入力され、ＭＰＥＧデコードされた音声信号は、オーディオ処理部７７に入力される。【００６６】
ビデオ処理部７５は、ＭＰＥＧデコードされた映像信号に対して、例えば、１画面表示や２画面表示用の加工を行う。また、ビデオ処理部７５は、グラフィック処理部７６が生成した、オン・スクリーン・ディスプレイ（ＯＳＤ）表示を行うための信号（ＯＳＤ信号）と、映像信号との合成も行う。ビデオ処理部７５が処理した映像信号は、パネルコントローラ７８に入力される。【００６７】
パネルコントローラ７８は、ビデオ処理部７５が処理した映像信号に対して、表示パネル７９での表示に用いることができるように信号処理を行う。表示パネル７９は、プラズマディスプレイパネルや液晶表示パネル等であり、入力された映像信号を用いて映像を表示する。【００６８】
また、オーディオ処理部７７は、入力された音声信号の中から、ユーザーが求める音声信号を抽出する。例えば、音声信号の中に、主音声信号と副音声信号とが含まれている場合は、いずれか又は両方を抽出し、これをオーディオＤ／Ａコンバータ８０に出力する。また、オーディオ処理部７７は、モノラルやステレオ等といった音声モードの切り替えも行う。オーディオＤ／Ａコンバータ８０は、デジタル音声信号をアナログ音声信号に変換し、これをスピーカー８１に入力する。この結果、音声が流れる。【００６９】
ところで、上述したように、本実施の形態１によれば、メインチューナー１１とサブチューナー１２とを近接することができるため、受信装置の小型化を図ることができる。この点について図４及び図５を用いて説明する。図４は、本実施の形態１における受信装置の一例を示す外観図である。図５は、本実施の形態１における受信装置の他の一例を示す外観図である。【００７０】
図４の例では、メインチューナー１１及びサブチューナー１２は、それぞれ別々にＩＣチップ化されている。各ＩＣチップは、実装基板９１に実装されている。また、図４の例では、メインチューナー１１及びサブチューナー１２は、共通のケース９０に一緒に収納されている。また、ケース９０は、電磁波遮蔽機能を有しており、メインチューナー１１及びサブチューナー１２から放射される電磁波を封じ込め、外部への漏洩を遮蔽する。また、ケース９０は、メインチューナー１１及びサブチューナー１２への外部からの電磁波の入射を遮蔽する。【００７１】
本実施の形態１によれば、ＩＣチップ化されたメインチューナー１１及びサブチューナー１２の局部発振器は、互いにスペクトラム干渉することがなく、位相雑音劣化の発生も抑制される。よって、メインチューナー１１とサブチューナー１２とを近接させることができ、受信装置の小型化を図ることができる。【００７２】
また、図５に示す例では、メインチューナー１１を形成している電気回路の一部とサブチューナー１２を形成している電気回路の一部とが集積化され、両者が一つのＩＣチップ９３内に含まれている。図５において、破線は、ＩＣチップ９３を構成する樹脂モールドを示している。【００７３】
このように本実施の形態１によれば、メインチューナー１１とサブチューナー１２とを１つのＩＣチップ９３内に樹脂モールドしても、ＩＣチップ９３内において互いの局部発振器がスペクトラム干渉することはなく、位相雑音劣化の発生も抑制される。よって、互いの電気回路を近接させることができ、結果ＩＣチップ９３を極限まで小型化することが可能となる。【００７４】
なお、図５に示す例では、メインチューナー１１を形成している回路のうち復調器２９は、別のＩＣチップ９４によって提供されている。同様に、サブチューナー１２を形成している回路のうち復調器４９も、別のＩＣチップ９５によって提供されている。また、制御部１３もＩＣチップの形態で提供されている。ＩＣチップ９３〜９５、制御部１３は、共通の実装基板９１に実装されている。【００７５】
（実施の形態２）
次に、本発明の実施の形態２における受信装置、電子機器及び放送電波の受信方法について図６を用いて説明する。図６は、本発明の実施の形態２における受信装置の概略構成を示すブロック図である。【００７６】
図６に示すように、本実施の形態２における受信装置では、メインチューナー１１に分周期５４が備えられ、サブチューナー１２に逓倍器５５が備えられており、この点で実施の形態１における受信装置と異なっている。これ以外の点については、本実施の形態２における受信装置は、実施の形態１における受信装置と同様である。以下、本実施の形態２と実施の形態１との相違点について説明する。【００７７】
分周器５４は、メインチューナー１１の局部発振器２５と局部発振信号出力端子３１との間に設けられている。分周器５４は、メインチューナー１１の局部発振器２５が生成した局部発振信号を１／ｎ倍に分周して、分周信号を生成する。また、分周器５４は、生成した分周信号をサブチューナー１２に向けて出力する。【００７８】
逓倍器５５は、局部発振信号入力端子５１と切替スイッチ５２の端子Ｔ１との間に設けられている。逓倍器５５は、分周信号をｎ倍に逓倍して逓倍信号、つまり、メインチューナー１１の局部発振器２５が生成した局部発振信号を生成する。メインチューナー１１とサブチューナー１２とで同一のチャンネルが選局された場合は、この逓倍信号がサブチューナー１２のミキサ４４に入力される。本実施の形態２における受信装置のサブチューナー１２は、この逓倍信号を用いて、選局されたチャンネルの信号（ＩＦ信号）を抽出する。【００７９】
このように本実施の形態２によれば、メインチューナー１１からサブチューナー１２へと出力される局部発振信号は、一旦、低い周波数の信号に変換される。よって、受信装置が発生させる不要輻射が軽減されることとなる。また、本実施の形態２によれば、受信装置をＩＣチップ化する際において、局部発振信号の周波数を、ＩＣチップ内部の他の回路信号に干渉し難い周波数に変換できる。【００８０】
（実施の形態３）
次に、本発明の実施の形態３における受信装置、電子機器及び放送電波の受信方法について図７を用いて説明する。図７は、本発明の実施の形態３における受信装置の概略構成を示すブロック図である。【００８１】
図７に示すように、本実施の形態３における受信装置では、メインチューナー１１に減衰器５６が備えられ、サブチューナー１２に増幅器５７が備えられており、この点で実施の形態１における受信装置と異なっている。これ以外の点については、本実施の形態３における受信装置は、実施の形態１における受信装置と同様である。以下、本実施の形態３と実施の形態１との相違点について説明する。【００８２】
減衰器５６は、メインチューナー１１の局部発振器２５と局部発振信号出力端子３１との間に設けられている。減衰器５６は、メインチューナー１１の局部発振器２５が生成した局部発振信号を減衰させて、減衰信号を生成する。また、減衰器５６は、生成した減衰信号をサブチューナー１２に向けて出力する。【００８３】
増幅器５７は、局部発振信号入力端子５１と切替スイッチ５２の端子Ｔ１との間に設けられている。増幅器５７は、減衰信号を増幅して増幅信号、つまり、メインチューナー１１の局部発振器２５が生成した局部発振信号を生成する。メインチューナー１１とサブチューナー１２とで同一のチャンネルが選局された場合は、この増幅信号がサブチューナー１２のミキサ４４に入力される。本実施の形態３における受信装置のサブチューナー１２は、この増幅信号を用いて、選局されたチャンネルの信号（ＩＦ信号）を抽出する。【００８４】
このように本実施の形態３によれば、メインチューナー１１からサブチューナー１２へと出力される局部発振信号は、一旦、出力レベルの低い信号に変換される。よって、受信装置が発生させる不要輻射が軽減されることとなる。また、本実施の形態３によれば、受信装置をＩＣチップ化する際において、局部発振信号を、ＩＣチップ内部の他の回路信号に干渉し難い信号に変換できる。
【産業上の利用可能性】
【００８５】
本発明のデュアルチューナーシステムは、メインチューナーとサブチューナーが同一周波数のチャンネルを選局する場合にのみサブチューナーの局部発振器の発振を停止させメインチューナーから入力される局部発振信号に切替えてサブチューナーの選局を行うことにより、メインチューナーとサブチューナーの局部発振器同士がお互いにスペクトラム干渉することなく、局部発振信号の位相雑音劣化を発生することなく、同一周波数のチャンネルをおのおののチューナーで選局することができ、チューナー同士を近接させることができるとともにお互いのチューナーのシールド特性を高める必要がないためデュアルチューナーシステムとして容易に小型化を実現することができ、ＣＡＴＶ放送、ＢＳデジタル放送、地上デジタル放送対応のセットトップボックスやテレビなどを代表とする放送受信機のデュアルチューナーを搭載した受信装置に対して有用である。
【図１】
2007125775.tif 000003
【図２】
2007125775.tif 000004
【図３】
2007125775.tif 000005
【図４】
2007125775.tif 000006
【図５】
2007125775.tif 000007
【図６】
2007125775.tif 000008
【図７】
2007125775.tif 000009
【図８】
2007125775.tif 000010
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を入力させて、前記選局されたチャンネルの信号の抽出を行わせることを特徴とする受信装置。
【請求項２】
前記第１のチューナーが、出力端子を備え、且つ、前記出力端子を介して、前記第２のチューナーに向けて、前記第１のチューナーの局部発振器が生成した前記局部発振信号を出力し、
前記第２のチューナーが、前記第１のチューナーが前記出力端子を介して出力した前記局部発振信号を入力するための入力端子を備えている請求項１に記載の受信装置。
【請求項３】
当該受信装置が、更に、電磁波遮蔽機能を有する一つのケースを備え、
前記第１のチューナー及び前記第２のチューナーが、共に、前記ケースに収納されている請求項１に記載の受信装置。
【請求項４】
当該受信装置がＩＣチップを備え、
前記第１のチューナー及び前記第２のチューナーが、電気回路によって形成されており、
前記ＩＣチップが、前記第１のチューナーを形成している電気回路の一部又は全部と、前記第２のチューナーを形成している電気回路の一部又は全部とを含んでいる請求項１に記載の受信装置。
【請求項５】
前記第１のチューナーが、前記第１のチューナーの局部発振器が生成した局部発振信号を分周して、分周信号を生成する分周器を備え、且つ、前記分周信号を前記第２のチューナーに向けて出力し、
前記第２のチューナーが、前記分周信号を逓倍して、逓倍信号を生成する逓倍器を備え、
前記制御部が、同一と判定した場合に、前記第２のチューナーに、前記逓倍信号を用いた、前記選局されたチャンネルの信号の抽出を行わせる請求項２に記載の受信装置。
【請求項６】
前記第１のチューナーが、前記第１のチューナーの局部発振器が生成した局部発振信号を減衰させて、減衰信号を生成する減衰器を備え、且つ、前記減衰信号を前記第２のチューナーに向けて出力し、
前記第２のチューナーが、前記減衰信号を増幅して、増幅信号を生成する増幅器を備え、
前記制御部が、同一と判定した場合に、前記第２のチューナーに、前記増幅信号を用いた、前記選局されたチャンネルの信号の抽出を行わせる請求項２に記載の受信装置。
【請求項７】
受信装置を備える電子機器であって、
前記受信装置は、放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を入力させて、前記選局されたチャンネルの信号の抽出を行わせることを特徴とする電子機器。
【請求項８】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、
（ａ）前記第１のチューナーで選局されたチャンネルの周波数と、前記第２のチューナーで選局されたチャンネルの周波数とが同一かどうか判定する工程と、
（ｂ）前記（ａ）の工程で同一と判定される場合に、前記第２のチューナーの局部発振器による前記局部発振信号の生成を停止させる工程と、
（ｃ）前記（ａ）の工程で同一と判定される場合に、前記第２のチューナーに、前記第１のチューナーの局部発振器が生成した局部発振信号を入力させて、前記選局されたチャンネルの信号の抽出を行わせる工程とを有することを特徴とする受信方法。
【請求項９】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信をコンピュータによって実行するためのプログラムであって、
（ａ）前記第１のチューナーで選局されたチャンネルの周波数と、前記第２のチューナーで選局されたチャンネルの周波数とが同一かどうか判定するステップと、
（ｂ）前記（ａ）の工程で同一と判定される場合に、前記第２のチューナーの局部発振器による前記局部発振信号の生成を停止させるステップと、
（ｃ）前記（ａ）の工程で同一と判定される場合に、前記第２のチューナーに、前記第１のチューナーの局部発振器が生成した局部発振信号を入力させて、前記選局されたチャンネルの信号の抽出を行わせるステップとをコンピュータに実行させることを特徴とするプログラム。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を入力させて、前記選局されたチャンネルの信号の抽出を行わせることを特徴とする受信装置。
【請求項２】
前記第１のチューナーが、出力端子を備え、且つ、前記出力端子を介して、前記第２のチューナーに向けて、前記第１のチューナーの局部発振器が生成した前記局部発振信号を出力し、
前記第２のチューナーが、前記第１のチューナーが前記出力端子を介して出力した前記局部発振信号を入力するための入力端子を備えている請求項１に記載の受信装置。
【請求項３】
当該受信装置が、更に、電磁波遮蔽機能を有する一つのケースを備え、
前記第１のチューナー及び前記第２のチューナーが、共に、前記ケースに収納されている請求項１に記載の受信装置。
【請求項４】
当該受信装置がＩＣチップを備え、
前記第１のチューナー及び前記第２のチューナーが、電気回路によって形成されており、
前記ＩＣチップが、前記第１のチューナーを形成している電気回路の一部又は全部と、前記第２のチューナーを形成している電気回路の一部又は全部とを含んでいる請求項１に記載の受信装置。
【請求項５】
前記第１のチューナーが、前記第１のチューナーの局部発振器が生成した局部発振信号を分周して、分周信号を生成する分周器を備え、且つ、前記分周信号を前記第２のチューナーに向けて出力し、
前記第２のチューナーが、前記分周信号を逓倍して、逓倍信号を生成する逓倍器を備え、
前記制御部が、同一と判定した場合に、前記第２のチューナーに、前記逓倍信号を用いた、前記選局されたチャンネルの信号の抽出を行わせる請求項２に記載の受信装置。
【請求項６】
前記第１のチューナーが、前記第１のチューナーの局部発振器が生成した局部発振信号を減衰させて、減衰信号を生成する減衰器を備え、且つ、前記減衰信号を前記第２のチューナーに向けて出力し、
前記第２のチューナーが、前記減衰信号を増幅して、増幅信号を生成する増幅器を備え、
前記制御部が、同一と判定した場合に、前記第２のチューナーに、前記増幅信号を用いた、前記選局されたチャンネルの信号の抽出を行わせる請求項２に記載の受信装置。
【請求項７】
受信装置を備える電子機器であって、
前記受信装置は、放送電波が入力される第１のチューナー及び第２のチューナーと、制御部とを備え、
前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、
前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を入力させて、前記選局されたチャンネルの信号の抽出を行わせることを特徴とする電子機器。
【請求項８】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、
（ａ）前記第１のチューナーで選局されたチャンネルの周波数と、前記第２のチューナーで選局されたチャンネルの周波数とが同一かどうか判定する工程と、
（ｂ）前記（ａ）の工程で同一と判定される場合に、前記第２のチューナーの局部発振器による前記局部発振信号の生成を停止させる工程と、
（ｃ）前記（ａ）の工程で同一と判定される場合に、前記第２のチューナーに、前記第１のチューナーの局部発振器が生成した局部発振信号を入力させて、前記選局されたチャンネルの信号の抽出を行わせる工程とを有することを特徴とする受信方法。
【請求項９】
選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信をコンピュータによって実行するためのプログラムであって、
（ａ）前記第１のチューナーで選局されたチャンネルの周波数と、前記第２のチューナーで選局されたチャンネルの周波数とが同一かどうか判定するステップと、
（ｂ）前記（ａ）の工程で同一と判定される場合に、前記第２のチューナーの局部発振器による前記局部発振信号の生成を停止させるステップと、
（ｃ）前記（ａ）の工程で同一と判定される場合に、前記第２のチューナーに、前記第１のチューナーの局部発振器が生成した局部発振信号を入力させて、前記選局されたチャンネルの信号の抽出を行わせるステップとをコンピュータに実行させることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、二基のチューナーを備える受信装置、特には、ＣＡＴＶ放送や地上デジタルＴＶ放送等のテレビジョン放送を受信するためのチューナーを二基備えた、セットトップボックスやテレビなどに搭載される受信装置に関する。
【背景技術】
【０００２】
近年、テレビにおいては、二つの番組を同時に一画面に表示できる二画面表示や、二つの番組を同時に録画できる二番組録画が可能であることが求められている。このような求めに対応するため、テレビや、それに接続されるＣＡＴＶ用のセットトップボックス、レコーダには、二基のチューナー（デュアルチューナー）が備えられることがある。
【０００３】
ところで、デュアルチューナーを搭載した受信装置では、通常使用されるチューナー（メインチューナー）で選局されたチャンネルと、補助的に使用されるチューナー（サブチューナー）で選局されたチャンネルとが一致する場合がある。
【０００４】
例えば、ニ画面表示の際に、ユーザーが、一方の画面にメインチューナーで選局されたチャンネルの番組を表示させ、他方の画面に、サブチューナーで選択されたチャンネルの番組を、次に次に切り替えながら表示させる場合である。この場合は、一時的に、両者で選局されているチャンネルが一致するときがある。また、メインチューナーで選択されている番組が記録装置で録画されているときに、ユーザーが、録画されている番組のチャンネルと同一のチャンネルをサブチューナーで選局することによっても、両者のチャンネルは一致する。
【０００５】
しかし、メインチューナーとサブチューナーとで同一のチャンネルが選択されている場合は、それぞれの局部発振信号の周波数も同一となるはずであるが、実際には、それぞれの局部発信器間の誤差により、同一とならずに微妙にずれてしまう。このため、両者の局部発振器が互いにスペクトラム干渉を起こし、局部発振信号の位相雑音劣化が発生してしまう。この結果、表示画面の画質が低下したり、表示画面がブラックアウトしたりすることがある。
【０００６】
このような問題を解決するため、従来から、メインチューナーが動作しているときに、サブチューナーではメインチューナーに悪影響を与える周波数が設定されないようにする受信装置が提案されている（例えば特許文献１参照。）。
【０００７】
図８は、従来のデュアルチューナーを備えた受信装置の構成を示す構成図である。図８に示すように、受信装置は、メインチューナー１１と、サブチューナー１２と、これらのチューナーを制御するメインコントロール部６０とを備えている。メインチューナー１１は、アンテナ６４で受信された放送電波が入力される入力端子２１を有している。同様に、サブチューナー１２も、アンテナ６４で受信された放送電波が入力される入力端子４１を有している。
【０００８】
メインコントロール部６０は、メインチューナー１１との間で信号の送受信を行う送受信回路６１と、サブチューナー１２との間で信号の送受信を行う送受信回路６２と、制御部１３と、メモリ６３とを備えている。制御部１３は、例えば、マイコンによって構成されている。メモリ６３には、メインチューナー１１が選局するチャンネル毎に、サブチューナー１２での選局が禁止されるチャンネルが記憶されている。なお、受信装置がテレビジョン放送の受信装置である場合は、サブチューナーでの選局が禁止されるチャンネルは、メインチューナー１１で選局されているチャンネルと同一のチャンネルである。
【０００９】
制御部１３は、先ず、メインチューナー１１が動作しているか否かを判断し、動作している場合は、メモリ６３にアクセスし、サブチューナー１２で選局されるとメインチューナー１１の受信動作に悪影響を与える周波数の読み出しを行う。次いで、制御部１３は、サブチューナー１２に対して、メインチューナー１１の動作に悪影響を与える周波数の設定（選局）が行われた場合は、設定を禁止する。
【００１０】
このように特許文献１の受信装置は、メインチューナー１１が動作している時にサブチューナー１２で選択できるチャンネルを制約することによって、表示画面の画質の低下やブラックアウトを回避している。
【特許文献１】特開平１０−９３５１３号公報（第３−４頁、第１図）
【発明の開示】
【発明が解決しようとする課題】
【００１１】
しかしながら、上記の従来の受信装置によれば、特に受信装置がテレビジョン放送の受信装置である場合に、メインチューナーとサブチューナーとを同時に動作させ、両者によって同一のチャンネルを選局できない。よって、ニ画面表示を行う場合に、１画面に同時に２つの同一のチャンネルの番組を表示できないという制約が課せられてしまう。
【００１２】
また、視聴用としてメインチューナーを割り当て、録画用としてサブチューナーを割り当てて使用する場合は、ユーザーが視聴しているチャンネルと同じチャンネルを録画用チャンネルとして選択できないという制約も課せられてしまう。
【００１３】
一方、同一チャンネル選択時の各チューナーの局部発信器におけるスペクトラム干渉は、受信装置内でメインチューナーとサブチューナーとの距離を大きくしたり、両者を別々に金属によってシールドしたりすることによっても解消できる。このような手段を採る場合は、サブチューナーにおける選局を制限する必要もなく、メインチューナーとサブチューナーとで同一のチャンネルを選局することができる。しかしながら、このような手段を採る場合は、受信装置の大型化や製造コストの上昇といった別の問題が発生してしまう。
【００１４】
本発明の目的は、上記問題を解消し、装置の大型化及び製造コストの上昇を伴うことなく、二つのチューナーによる同一チャンネルの選局を可能とする受信装置、それを搭載した電子機器及び受信方法を提供することにある。
【課題を解決するための手段】
【００１５】
上記目的を達成するために本発明の受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。
【００１６】
また、上記目的を達成するために本発明の電子機器は、受信装置を備える電子機器であって、前記受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。
【００１７】
また、上記目的を達成するために本発明の受信方法は、選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、（ａ）前記第１のチューナーで選局されたチャンネルの周波数と、前記第２のチューナーで選局されたチャンネルの周波数とが同一かどうか判定する工程と、（ｂ）前記（ａ）の工程で同一と判定される場合に、前記第２のチューナーの局部発振器による前記局部発振信号の生成を停止させる工程と、（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせる工程とを有することを特徴とする。
【発明の効果】
【００１８】
以上のように、本発明では、第１のチューナーと第２のチューナーとで同一周波数のチャンネルが選局される場合は、第２のチューナーの局部発振器の発振が停止される。そして、第２のチューナーでは、第１のチューナーから入力される局部発振信号によって選局が行われる。
【００１９】
このため、第１のチューナーの局部発振器と第２のチューナーの局部発振器とが互いにスペクトラム干渉を起こすことはなく、局部発振信号の位相雑音劣化の発生も抑制される。よって、各チューナーにおいて、同一周波数のチャンネルを選局することができる。また、このとき、チューナー同士の距離を大きくしたり、チューナーそれぞれのシールド特性を高めたりする必要がない。よって、本発明によれば、受信装置の小型化を実現することができ、更に製造コストの上昇も抑制することができる。
【発明を実施するための最良の形態】
【００２０】
本発明の受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。
【００２１】
上記本発明の受信装置は、前記第１のチューナーが、出力端子を備え、且つ、前記出力端子を介して、前記第２のチューナーに向けて、前記第１のチューナーの局部発振器が生成した前記局部発振信号を出力し、前記第２のチューナーが、前記第１のチューナーが前記出力端子を介して出力した前記局部発振信号を入力するための入力端子を備えている態様であるのが好ましい。
【００２２】
上記本発明の受信装置は、当該受信装置が、更に、電磁波遮蔽機能を有する一つのケースを備え、前記第１のチューナー及び前記第２のチューナーが、共に、前記ケースに収納されている態様であるのが好ましい。
【００２３】
上記本発明の受信装置は、当該受信装置がＩＣチップを備え、前記第１のチューナー及び前記第２のチューナーが、電気回路によって形成されており、前記ＩＣチップが、前記第１のチューナーを形成している電気回路の一部又は全部と、前記第２のチューナーを形成している電気回路の一部又は全部とを含んでいる態様であるのが好ましい。
【００２４】
上記本発明の受信装置は、前記第１のチューナーが、前記第１のチューナーの局部発振器が生成した局部発振信号を分周して、分周信号を生成する分周器を備え、且つ、前記分周信号を前記第２のチューナーに向けて出力し、前記第２のチューナーが、前記分周信号を逓倍して、逓倍信号を生成する逓倍器を備え、前記制御部が、同一と判定した場合に、前記第２のチューナーに、前記逓倍信号を用いた、前記選局されたチャンネルの信号の抽出を行わせる態様であるのが好ましい。この態様によれば、受信装置が発生させる不要輻射が軽減され、受信装置をＩＣチップ化する際において、局部発振信号の周波数を、ＩＣチップ内部の他の回路信号に干渉し難い周波数に変換できる。
【００２５】
また、上記本発明の受信装置は、前記第１のチューナーが、前記第１のチューナーの局部発振器が生成した局部発振信号を減衰させて、減衰信号を生成する減衰器を備え、且つ、前記減衰信号を前記第２のチューナーに向けて出力し、前記第２のチューナーが、前記減衰信号を増幅して、増幅信号を生成する増幅器を備え、前記制御部が、同一と判定した場合に、前記第２のチューナーに、前記増幅信号を用いた、前記選局されたチャンネルの信号の抽出を行わせる態様であるのも好ましい。この態様の場合は、受信装置が発生させる不要輻射が軽減され、受信装置をＩＣチップ化する際において、局部発振信号を、ＩＣチップ内部の他の回路信号に干渉し難い信号に変換できる。
【００２６】
また、本発明の電子機器は、受信装置を備える電子機器であって、前記受信装置は、放送電波が入力される第１のチューナー及び第２のチューナーと、制御部とを備え、前記第１のチューナー及び前記第２のチューナーは、それぞれ、選局されたチャンネルの周波数に応じて局部発振信号を生成する局部発振器を備え、且つ、前記局部発振信号を用いて、前記放送電波の中から前記選局されたチャンネルの信号を抽出し、前記制御部は、前記第１のチューナーで選局されたチャンネルの周波数と、前記第２のチューナーで選局されたチャンネルの周波数とが同一かどうか判定し、同一と判定した場合は、前記第２のチューナーの局部発振器による前記局部発振信号の生成を停止させ、前記第２のチューナーに、前記第１のチューナーの局部発振器が生成した前記局部発振信号を用いた、前記選局されたチャンネルの信号の抽出を行わせることを特徴とする。
【００２７】
また、本発明の受信方法は、選局されたチャンネルの周波数に応じて局部発振信号を生成する局部発振器を備え、且つ、前記局部発振信号を用いて前記放送電波の中から前記選局されたチャンネルの信号を抽出する、第１のチューナー及び第２のチューナーを利用した、放送電波の受信方法であって、（ａ）前記第１のチューナーで選局されたチャンネルの周波数と、前記第２のチューナーで選局されたチャンネルの周波数とが同一かどうか判定する工程と、（ｂ）前記（ａ）の工程で同一と判定される場合に、前記第２のチューナーの局部発振器による前記局部発振信号の生成を停止させる工程と、（ｃ）前記（ａ）の工程で同一と判定される場合に、前記第２のチューナーに、前記第１のチューナーの局部発振器が生成した局部発振信号を用いた、前記選局されたチャンネルの信号の抽出を行わせる工程とを有することを特徴とする。
【００２８】
また、本発明は、上記の本発明の受信方法を具現化するためのプログラムであっても良い。このプログラムをコンピュータにインストールし、これを実行すれば、本発明の受信方法が実行される。
【００２９】
以上の特徴により、本発明によれば、装置の大型化及び製造コストの上昇を伴うことなく、二つのチューナーによる同一チャンネルの選局を可能にすることができる。
【００３０】
（実施の形態１）
以下に、本発明の実施の形態１における受信装置、電子機器及び放送電波の受信方法について図１〜図５を用いて説明する。最初に、本実施の形態１における受信装置の構成について図１を用いて説明する。図１は、本発明の実施の形態１における受信装置の概略構成を示すブロック図である。
【００３１】
本実施の形態１における受信装置は、デュアルチューナーを搭載したデジタルテレビジョン放送用の受信装置（デュアルチューナーシステム）である。また、本実施の形態１における受信装置は、スーパーヘテロダイン方式を採用している。
【００３２】
図１に示すように、本実施の形態における受信装置は、大きく分けて、通常使用されるチューナー（メインチューナー）１１と、補助的に使用されるチューナー（サブチューナー）１２と、制御部１３とを備えている。制御部１３は、図８に示した従来例と同様に、例えば、マイコンによって構成されている。但し、図１に示す制御部１３は、後述するように機能の点で従来例と異なっている。
【００３３】
メインチューナー１１は、入力端子２１と、ＡＧＣアンプ２２及び２８と、選局フィルタ２３と、混合器（ミキサ）２４と、局部発振器２５と、ＰＬＬ２６と、ＳＡＷフィルタ２７と、復調器２９と、局部発振器駆動部３０とを備えている。同様に、サブチューナー１２も、入力端子４１と、ＡＧＣアンプ４２及び４８と、選局フィルタ４３と、混合器（ミキサ）４４と、局部発振器４５と、ＰＬＬ４６と、ＳＡＷフィルタ４７と、復調器４９と、局部発振器駆動部５０とを備えている。
【００３４】
入力端子２１及び４１は、共に、アンテナ（図１において図示せず）で受信された放送電波が入力されるアンテナ入力端子である。ＡＧＣアンプ２２及び４２は、それぞれ、放送電波によって搬送されてきた放送信号に対してゲイン調整を行う。選局フィルタ２３及び４３は、それぞれ、地上波デジタル放送、ＢＳデジタル放送、ＣＳ放送といった帯域が異なる種々の放送サービスの中から、選局されたチャンネルを含む放送サービスの帯域の放送信号を抽出する。
【００３５】
局部発振器２５及び４５は、選局されたチャンネルの周波数に応じて局部発振信号を生成する。具体的には、局部発振器２５及び４５において、局部発振信号の周波数の設定は、対応するＰＬＬ（Phase Locked Loop）２６又は４６が、制御部１３の指示に基づいて行っている。制御部１３は、ユーザーが選局したチャンネルの周波数に合わせて、ＰＬＬを動作させる。また、局部発振器駆動部３０及び５０は、制御部１３の指示に応じて、対応する局部発振器に局部発振信号を生成させたり、局部発振信号の生成を停止させたりする。
【００３６】
ミキサ２４及び４４は、放送信号と局部発振信号とを混合し、入力された放送信号をダウンコンバートする。ＳＡＷフィルタ２７及び４７は、対応するミキサによってダウンコンバートされた信号の中から、設定された周波数を持った中間周波信号（ＩＦ信号）を抽出する。この結果、選局されたチャンネルの信号が抽出されたことになる。
【００３７】
ＡＧＣアンプ２８及び４８は、ＳＡＷフィルタ２７及び４７が抽出したＩＦ信号のゲイン調整を行う。復調器２９及び４９は、それぞれ、ゲイン調整されたＩＦ信号に対して復調を行い、トランスポートストリームを出力する。また、復調器２９は、それに入力されたＩＦ信号の振幅に基づいたフィードバック制御によって、ＡＧＣアンプ２２及び２８の出力を調整する。同様に、復調器４９も、それに入力されたＩＦ信号の振幅に基づいたフィードバック制御によって、ＡＧＣアンプ４２及び４８の出力を調整する。復調器２９で得られたトランスポート出力（Ａ）及び復調器４９で得られたトランスポート出力（Ｂ）は、それぞれ、受信装置がデジタルテレビの場合は、トランスポートストリーム処理部（図３参照）に入力される。
【００３８】
以上の構成により、ユーザーがチューナー毎に選局したチャンネルは、制御部１３によって、メインチューナー１１及びサブチューナー１２に設定され、選局されたチャンネルの番組が受信される。メインチューナー１１とサブチューナー１２とは、同一の構成を備え、それぞれ独立して、チャンネルを選局でき、この点では、本実施の形態１における受信装置は、従来の受信装置と同様である。但し、本実施の形態１における受信装置は、以下の点で、従来の受信装置と異なっている。
【００３９】
図１に示すように、メインチューナー１１は、その局部発振器２５が生成した局部発振信号をサブチューナー１２に入力することができる。また、サブチューナー１２は、メインチューナー１１の局部発振器２５が生成した局部発振信号を用いて、選局されたチャンネルの信号（ＩＦ信号）を抽出することができる。
【００４０】
具体的には、本実施の形態１では、メインチューナー１１は、出力端子（局部発振信号出力端子）３１を備えている。メインチューナー１１は、局部発振信号出力端子３１を介して、第２のチューナー１２に向けて、局部発振器２５が生成した局部発振信号を出力することができる。サブチューナー１２は、メインチューナー１１から出力された局部発振信号を入力するための入力端子（局部発振信号入力端子）５１を備えている。
【００４１】
サブチューナー１２は、切替手段５２も備えている。切替手段５２は、切替スイッチであり、端子Ｔ１〜Ｔ３を備え、端子Ｔ１とＴ３との間、又は端子Ｔ２とＴ３との間を切り替える。更に、端子Ｔ１は局部発振信号入力端子５１に接続され、端子Ｔ２は局部発振器４５に接続される。端子Ｔ３はミキサ４４に接続される。
【００４２】
よって、サブチューナー１２では、切替手段５２における切り替えにより、局部発振器４５からの局部発振信号と、局部発振信号入力端子５１からの局部発振信号とのいずれかが選択されて、ミキサ４４に入力される。特に後者の場合は、メインチューナー１１の局部発振器２５が生成した局部発振信号を用いてＩＦ信号の抽出が行われることとなる。切替手段５２の切り替えは、制御部１３によって行われる。
【００４３】
ここで、本実施の形態１における受信方法について図２を用いて説明する。本実施の形態１における受信方法は、デジタルテレビジョン放送の放送電波の受信に用いられる。図２は、本発明の実施の形態１における受信方法の流れを示すフロー図である。但し、本実施の形態１では、制御部１３を動作させることにより、本発明の実施の形態１における受信方法が実行される。よって、以下の説明については、図１を参照しながら制御部１３における処理についても説明する。
【００４４】
最初に、図２に示すように、制御部１３は、ユーザーが入力したチャンネルについての情報（選局情報）を取得する（ステップＳ１）。具体的には、本実施の形態１における受信装置がテレビに搭載されている場合は、ユーザーは例えばリモートコントローラを用いて、希望するチャンネルの番号を入力する。制御部１３は、ユーザーのリモートコントローラから送信されてきた信号から、選択されたチャンネルを特定でき、結果、選局情報を得ることとなる。
【００４５】
次に、制御部１３は、ユーザーによってメインチューナー１１で選局されたチャンネルと、サブチューナー１２で選局されたチャンネルとが同一かどうか、即ち、各チューナーの受信周波数が同一かどうか判定する（ステップＳ２）。同一と判定した場合は、制御部１３は、後述するステップＳ３〜Ｓ５を実行する。一方、同一でないと判定した場合は、制御部１３は、後述するステップＳ６〜Ｓ９を実行する。
【００４６】
具体的には、ステップＳ２において、同一と判定した場合は、制御部１３は、サブチューナー１２の局部発振器駆動部５０に対して、局部発振器４５の動作の停止を指示する（ステップＳ３）。これにより、局部発振器４５の動作が停止し、局部発振信号の生成が停止される。
【００４７】
次に、制御部１３は、切替手段（切替スイッチ）５２によって接続経路を切り替えるため、端子Ｔ１とＴ３とを接続する（ステップＳ４）。これにより、メインチューナー１１の局部発振器２５で生成された局部発振信号をサブチューナー１２のミキサ４４に入力するための経路が形成されることとなる。
【００４８】
次に、制御部１３は、ステップＳ１で取得された選局情報に基づいて、選局されたチャンネルに対応するように、メインチューナー１１の局部発振器２５に局部発振信号を生成させる（ステップＳ５）。この局部発振信号は、メインチューナー１１のミキサ２４と、サブチューナー１２のミキサ４４との両方に送られ、これを用いて、メインチューナー１１とサブチューナー１２との両方で同一のチャンネルが受信される。
【００４９】
一方、ステップＳ２において、同一でないと判定した場合は、制御部１３は、サブチューナー１２の局部発振器駆動部５０に対して、局部発振器４５の動作を指示する（ステップＳ６）。なお、局部発振器４５が既に動作している場合は、制御部１３は何ら指示を行わず、ステップＳ６が省略される態様であっても良い。
【００５０】
次に、制御部１３は、切替手段（切替スイッチ）５２によって接続経路を切り替えるため、端子Ｔ２とＴ３とを接続する（ステップＳ７）。これにより、サブチューナー１２の局部発振器４５で生成された局部発振信号をサブチューナー１２のミキサ４４に入力するための経路が形成されることとなる。
【００５１】
その後、制御部１３は、ステップＳ５同様に、ステップＳ１で取得された選局情報に基づいて、メインチューナー１１の選局チャンネルに対応するように、メインチューナー１１の局部発振器２５に局部発振信号を生成させる（ステップＳ８）。ステップＳ８で生成された局部発振信号は、ステップＳ５と異なり、メインチューナー１１のミキサ２４のみに入力される。
【００５２】
更に、制御部１３は、ステップＳ１で取得された選局情報に基づき、サブチューナー１２の選局チャンネルに対応するように、サブチューナー１２の局部発振器４５に局部発振信号を生成させる（ステップＳ９）。ステップＳ９で生成された局部発振信号は、サブチューナー１２のミキサ４４に入力される。このようにステップＳ６〜Ｓ９が実行された場合は、メインチューナー１１とサブチューナー１２とは、それぞれ独立に動作し、別々のチャンネルが受信される。
【００５３】
以上のように、本実施の形態１では、メインチューナー１１とサブチューナー１２とで同一周波数のチャンネルが選局される場合は、サブチューナー１２の局部発振器４５の発振が停止される。そして、サブチューナー１２では、メインチューナー１１から入力される局部発振信号によって選局が行われる。
【００５４】
このため、メインチューナー１１の局部発振器２５とサブチューナー１２の局部発振器４５とが互いにスペクトラム干渉を起こすことはなく、局部発振信号の位相雑音劣化の発生も抑制される。本実施の形態１によれば、上記の問題を回避しつつ、各チューナーにおいて、同一周波数のチャンネルを選局することができる。また、このとき、チューナー同士の距離を大きくしたり、チューナーそれぞれのシールド特性を高めたりする必要がない。よって、受信装置の小型化の実現や、製造コストの上昇の抑制が図られることとなる。
【００５５】
また、本実施の形態１は、ユーザーが、１画面表示のみを選択している場合や、視聴と録画とを同時に行っていない場合は、制御部１３が、サブチューナー１２の局部発振器４５による局部発振信号の生成を停止させる態様であっても良い。このような場合は、メインチューナー１１による選局だけで足り、サブチューナー１２による選局は不要だからである。
【００５６】
この態様によれば、サブチューナー１２による不要な局部発振が行われず、不要な信号も発生しないため、不要な信号がメインチューナー１１の受信性能を低下させる可能性も排除でき、受信装置の信頼性を向上できる。更に、受信装置から放出される不要輻射も軽減できる。このため、受信装置をＩＣチップ化する場合に特に有効である。
【００５７】
また、本実施の形態１における受信装置は、例えば、汎用のコンピュータに、メインチューナー１１及びサブチューナー１２を接続することによっても実現できる。この場合、コンピュータに、図２に示すステップＳ１〜Ｓ９を具現化させるプログラムをインストールし、このプログラムを実行すれば、本実施の形態１における受信装置を実現することができる。このとき、コンピュータのＣＰＵ（central processing unit）が、制御部１３として機能している。
【００５８】
次に、本実施の形態１における受信装置を搭載した電子機器について説明する。本実施の形態１において、電子機器は、図１に示した受信装置を搭載できる機器であれば特に限定されるものではない。具体的には、テレビ、セットトップボックス（ＳＴＢ）、録画機、カーナビゲーションシステム、パーソナルコンピュータ等が挙げられる。
【００５９】
以下に、本実施の形態１における受信装置が、テレビに搭載された例について図３を用いて説明する。図３は、本発明の実施の形態１における受信装置を搭載したデジタルテレビの概略構成を示す構成図である。
【００６０】
図３に示すように、デジタルテレビ７０は、メインチューナー１１とサブチューナー１２とを備えている。また、デジタルテレビ７０の全体の制御を行っているＣＰＵ８２は、本実施の形態１における受信装置の制御部１３（図１及び図２参照）としても機能している。
【００６１】
具体的には、フラッシュメモリ８３には、図２に示すステップＳ１〜Ｓ９を具現化させるプログラムが記録されている。ＣＰＵ８２は、リモコン８５を介してユーザーがニ画面表示を選択している時に、メインチューナー１１とサブチューナー１２とで同一のチャンネルを選択すると、上記のプログラムを読み出して実行する。この結果、図３に示すデジタルテレビ７０によれば、ニ画面表示において同一のチャンネルを選択することができる。なお、リモコン８５が出力した赤外線信号等の光信号は、リモコン処理部８４によってデジタル信号に変換され、その後、ＣＰＵ８２に入力される。
【００６２】
また、デジタルテレビ７０は、トランスポートストリーム処理部７１及び７２と、ＭＰＥＧ  ＡＶデコード処理部７３及び７４と、ビデオ処理部７５と、グラフィック処理部７６と、オーディオ処理部７７とを備えている。更に、デジタルテレビ７０は、パネルコントローラ７８、表示パネル７９、オーディオＤ／Ａコンバータ８０、及びスピーカー８１も備えている。
【００６３】
トランスポートストリーム処理部７１及び７２は、それぞれ、チューナー毎に設けられている。トランスポートストリーム処理部７１及び７２は、トランスポートストリーム出力（Ａ）及び（Ｂ）から、目的の映像信号及び音声信号の抽出を行っている。抽出された映像信号及び音声信号は、ＭＰＥＧ  ＡＶデコード処理部７３及び７４に入力される。
【００６４】
ＭＰＥＧ  ＡＶデコード処理部７３及び７４も、それぞれチューナー毎に設けられている。トランスポートストリーム処理部７１及び７２が抽出した映像信号及び音声信号はＭＰＥＧエンコードされているため、ＭＰＥＧ  ＡＶデコード処理部７３及び７４は、これらの信号をＭＰＥＧデコードする。ＭＰＥＧデコードされた映像信号は、ビデオ処理部７５に入力され、ＭＰＥＧデコードされた音声信号は、オーディオ処理部７７に入力される。
【００６５】
ビデオ処理部７５は、ＭＰＥＧデコードされた映像信号に対して、例えば、１画面表示や２画面表示用の加工を行う。また、ビデオ処理部７５は、グラフィック処理部７６が生成した、オン・スクリーン・ディスプレイ（ＯＳＤ）表示を行うための信号（ＯＳＤ信号）と、映像信号との合成も行う。ビデオ処理部７５が処理した映像信号は、パネルコントローラ７８に入力される。
【００６６】
パネルコントローラ７８は、ビデオ処理部７５が処理した映像信号に対して、表示パネル７９での表示に用いることができるように信号処理を行う。表示パネル７９は、プラズマディスプレイパネルや液晶表示パネル等であり、入力された映像信号を用いて映像を表示する。
【００６７】
また、オーディオ処理部７７は、入力された音声信号の中から、ユーザーが求める音声信号を抽出する。例えば、音声信号の中に、主音声信号と副音声信号とが含まれている場合は、いずれか又は両方を抽出し、これをオーディオＤ／Ａコンバータ８０に出力する。また、オーディオ処理部７７は、モノラルやステレオ等といった音声モードの切り替えも行う。オーディオＤ／Ａコンバータ８０は、デジタル音声信号をアナログ音声信号に変換し、これをスピーカー８１に入力する。この結果、音声が流れる。
【００６８】
ところで、上述したように、本実施の形態１によれば、メインチューナー１１とサブチューナー１２とを近接することができるため、受信装置の小型化を図ることができる。この点について図４及び図５を用いて説明する。図４は、本実施の形態１における受信装置の一例を示す外観図である。図５は、本実施の形態１における受信装置の他の一例を示す外観図である。
【００６９】
図４の例では、メインチューナー１１及びサブチューナー１２は、それぞれ別々にＩＣチップ化されている。各ＩＣチップは、実装基板９１に実装されている。また、図４の例では、メインチューナー１１及びサブチューナー１２は、共通のケース９０に一緒に収納されている。また、ケース９０は、電磁波遮蔽機能を有しており、メインチューナー１１及びサブチューナー１２から放射される電磁波を封じ込め、外部への漏洩を遮蔽する。また、ケース９０は、メインチューナー１１及びサブチューナー１２への外部からの電磁波の入射を遮蔽する。
【００７０】
本実施の形態１によれば、ＩＣチップ化されたメインチューナー１１及びサブチューナー１２の局部発振器は、互いにスペクトラム干渉することがなく、位相雑音劣化の発生も抑制される。よって、メインチューナー１１とサブチューナー１２とを近接させることができ、受信装置の小型化を図ることができる。
【００７１】
また、図５に示す例では、メインチューナー１１を形成している電気回路の一部とサブチューナー１２を形成している電気回路の一部とが集積化され、両者が一つのＩＣチップ９３内に含まれている。図５において、破線は、ＩＣチップ９３を構成する樹脂モールドを示している。
【００７２】
このように本実施の形態１によれば、メインチューナー１１とサブチューナー１２とを１つのＩＣチップ９３内に樹脂モールドしても、ＩＣチップ９３内において互いの局部発振器がスペクトラム干渉することはなく、位相雑音劣化の発生も抑制される。よって、互いの電気回路を近接させることができ、結果ＩＣチップ９３を極限まで小型化することが可能となる。
【００７３】
なお、図５に示す例では、メインチューナー１１を形成している回路のうち復調器２９は、別のＩＣチップ９４によって提供されている。同様に、サブチューナー１２を形成している回路のうち復調器４９も、別のＩＣチップ９５によって提供されている。また、制御部１３もＩＣチップの形態で提供されている。ＩＣチップ９３〜９５、制御部１３は、共通の実装基板９１に実装されている。
【００７４】
（実施の形態２）
次に、本発明の実施の形態２における受信装置、電子機器及び放送電波の受信方法について図６を用いて説明する。図６は、本発明の実施の形態２における受信装置の概略構成を示すブロック図である。
【００７５】
図６に示すように、本実施の形態２における受信装置では、メインチューナー１１に分周期５４が備えられ、サブチューナー１２に逓倍器５５が備えられており、この点で実施の形態１における受信装置と異なっている。これ以外の点については、本実施の形態２における受信装置は、実施の形態１における受信装置と同様である。以下、本実施の形態２と実施の形態１との相違点について説明する。
【００７６】
分周器５４は、メインチューナー１１の局部発振器２５と局部発振信号出力端子３１との間に設けられている。分周器５４は、メインチューナー１１の局部発振器２５が生成した局部発振信号を１／ｎ倍に分周して、分周信号を生成する。また、分周器５４は、生成した分周信号をサブチューナー１２に向けて出力する。
【００７７】
逓倍器５５は、局部発振信号入力端子５１と切替スイッチ５２の端子Ｔ１との間に設けられている。逓倍器５５は、分周信号をｎ倍に逓倍して逓倍信号、つまり、メインチューナー１１の局部発振器２５が生成した局部発振信号を生成する。メインチューナー１１とサブチューナー１２とで同一のチャンネルが選局された場合は、この逓倍信号がサブチューナー１２のミキサ４４に入力される。本実施の形態２における受信装置のサブチューナー１２は、この逓倍信号を用いて、選局されたチャンネルの信号（ＩＦ信号）を抽出する。
【００７８】
このように本実施の形態２によれば、メインチューナー１１からサブチューナー１２へと出力される局部発振信号は、一旦、低い周波数の信号に変換される。よって、受信装置が発生させる不要輻射が軽減されることとなる。また、本実施の形態２によれば、受信装置をＩＣチップ化する際において、局部発振信号の周波数を、ＩＣチップ内部の他の回路信号に干渉し難い周波数に変換できる。
【００７９】
（実施の形態３）
次に、本発明の実施の形態３における受信装置、電子機器及び放送電波の受信方法について図７を用いて説明する。図７は、本発明の実施の形態３における受信装置の概略構成を示すブロック図である。
【００８０】
図７に示すように、本実施の形態３における受信装置では、メインチューナー１１に減衰器５６が備えられ、サブチューナー１２に増幅器５７が備えられており、この点で実施の形態１における受信装置と異なっている。これ以外の点については、本実施の形態３における受信装置は、実施の形態１における受信装置と同様である。以下、本実施の形態３と実施の形態１との相違点について説明する。
【００８１】
減衰器５６は、メインチューナー１１の局部発振器２５と局部発振信号出力端子３１との間に設けられている。減衰器５６は、メインチューナー１１の局部発振器２５が生成した局部発振信号を減衰させて、減衰信号を生成する。また、減衰器５６は、生成した減衰信号をサブチューナー１２に向けて出力する。
【００８２】
増幅器５７は、局部発振信号入力端子５１と切替スイッチ５２の端子Ｔ１との間に設けられている。増幅器５７は、減衰信号を増幅して増幅信号、つまり、メインチューナー１１の局部発振器２５が生成した局部発振信号を生成する。メインチューナー１１とサブチューナー１２とで同一のチャンネルが選局された場合は、この増幅信号がサブチューナー１２のミキサ４４に入力される。本実施の形態３における受信装置のサブチューナー１２は、この増幅信号を用いて、選局されたチャンネルの信号（ＩＦ信号）を抽出する。
【００８３】
このように本実施の形態３によれば、メインチューナー１１からサブチューナー１２へと出力される局部発振信号は、一旦、出力レベルの低い信号に変換される。よって、受信装置が発生させる不要輻射が軽減されることとなる。また、本実施の形態３によれば、受信装置をＩＣチップ化する際において、局部発振信号を、ＩＣチップ内部の他の回路信号に干渉し難い信号に変換できる。
【産業上の利用可能性】
【００８４】
本発明のデュアルチューナーシステムは、メインチューナーとサブチューナーが同一周波数のチャンネルを選局する場合にのみサブチューナーの局部発振器の発振を停止させメインチューナーから入力される局部発振信号に切替えてサブチューナーの選局を行うことにより、メインチューナーとサブチューナーの局部発振器同士がお互いにスペクトラム干渉することなく、局部発振信号の位相雑音劣化を発生することなく、同一周波数のチャンネルをおのおののチューナーで選局することができ、チューナー同士を近接させることができるとともにお互いのチューナーのシールド特性を高める必要がないためデュアルチューナーシステムとして容易に小型化を実現することができ、ＣＡＴＶ放送、ＢＳデジタル放送、地上デジタル放送対応のセットトップボックスやテレビなどを代表とする放送受信機のデュアルチューナーを搭載した受信装置に対して有用である。
【図面の簡単な説明】
【００８５】
【図１】図１は、本発明の実施の形態１における受信装置の概略構成を示すブロック図である。
【図２】図２は、本発明の実施の形態１における受信方法の流れを示すフロー図である。
【図３】図３は、本発明の実施の形態１における受信装置を搭載したデジタルテレビの概略構成を示す構成図である。
【図４】図４は、本実施の形態１における受信装置の一例を示す外観図である。
【図５】図５は、本実施の形態１における受信装置の他の一例を示す外観図である。
【図６】図６は、本発明の実施の形態２における受信装置の概略構成を示すブロック図である。
【図７】図７は、本発明の実施の形態３における受信装置の概略構成を示すブロック図である。
【図８】図８は、従来のデュアルチューナーを備えた受信装置の構成を示す構成図である。
【手続補正３】
【補正対象書類名】図面
【補正対象項目名】全図
【補正方法】変更
【補正の内容】
【図１】
2007125775.tif 000011
【図２】
2007125775.tif 000012
【図３】
2007125775.tif 000013
【図４】
2007125775.tif 000014
【図５】
2007125775.tif 000015
【図６】
2007125775.tif 000016
【図７】
2007125775.tif 000017
【図８】
2007125775.tif 000018
【国際調査報告】
2007125775.tif 000019
2007125775.tif 000020